【手続補正書】
【提出日】令和1年12月11日(2019.12.11)
【手続補正１】
【補正対象書類名】明細書
【補正対象項目名】０００９
【補正方法】変更
【補正の内容】
【０００９】
本発明の画像処理装置は、第１の画像及び第２の画像を取得する画像取得手段と、前記画像取得手段によって取得された前記第１の画像から複数の第１の矩形画像及びその各々の第１の位置座標を抽出する第１の抽出手段と、前記画像取得手段によって取得された前記第２の画像から複数の第２の矩形画像及びその各々の第２の位置座標を抽出する第２の抽出手段と、前記第１の抽出手段と前記第２の抽出手段によって複数抽出された前記第１の位置座標と前記第２の位置座標を基に、位置座標が所定の距離内である前記複数の第１の矩形画像の一つと前記複数の第２の矩形画像の一つとを表裏の対であると判定する第１の判定手段と、前記第１の判定手段の判定に応じて、前記抽出された前記複数の第１の矩形画像と前記複数の第２の矩形画像の各々における画像内の特徴量を基に、当該特徴量が一致する前記複数の第１の矩形画像の一つと前記複数の第２の矩形画像の一つとを前記表裏の対であると判定する第２の判定手段と、を備えることを特徴とする。
【手続補正２】
【補正対象書類名】特許請求の範囲
【補正対象項目名】全文
【補正方法】変更
【補正の内容】
【特許請求の範囲】
【請求項１】
第１の画像及び第２の画像を取得する画像取得手段と、
前記画像取得手段によって取得された前記第１の画像から複数の第１の矩形画像及びその各々の第１の位置座標を抽出する第１の抽出手段と、
前記画像取得手段によって取得された前記第２の画像から複数の第２の矩形画像及びその各々の第２の位置座標を抽出する第２の抽出手段と、
前記第１の抽出手段と前記第２の抽出手段によって複数抽出された前記第１の位置座標と前記第２の位置座標を基に、位置座標が所定の距離内である前記複数の第１の矩形画像の一つと前記複数の第２の矩形画像の一つとを表裏の対であると判定する第１の判定手段と、
前記第１の判定手段の判定に応じて、前記抽出された前記複数の第１の矩形画像と前記複数の第２の矩形画像の各々における画像内の特徴量を基に、当該特徴量が一致する前記複数の第１の矩形画像の一つと前記複数の第２の矩形画像の一つとを前記表裏の対であると判定する第２の判定手段と、
を備えることを特徴とする画像処理装置。
【請求項２】
前記第１の判定手段が前記表裏の対を判定できなかった場合、前記第２の判定手段が前記表裏の対を判定することを特徴とする請求項１に記載の画像処理装置。
【請求項３】
前記位置座標が前記所定の距離内であるとは、前記複数の第１の矩形画像の一つの中心座標と前記複数の第２の矩形画像の一つの中心座標とが前記所定の距離内であることを特徴とする請求項１又は２に記載の画像処理装置。
【請求項４】
前記第１の判定手段は、前記複数の第１の矩形画像の一つである対象画像の中心座標から前記所定の距離内に前記複数の第２の矩形画像のうちの二つ以上の画像の中心座標がある場合、当該二つ以上の画像のうち、前記対象画像の中心座標から最も近い位置に中心座標をもつ画像と、前記対象画像を前記表裏の対であると判定することを特徴とする請求項３に記載の画像処理装置。
【請求項５】
前記第２の判定手段は、前記複数の第１の矩形画像及び前記複数の第２の矩形画像の各々に含まれる文字列を前記特徴量とすることを特徴とする請求項１乃至４のいずれか１項に記載の画像処理装置。
【請求項６】
前記第２の判定手段は、前記複数の第１の矩形画像及び前記複数の第２の矩形画像の各々に含まれる画像特徴量を前記特徴量とすることを特徴とする請求項１乃至５のいずれか１項に記載の画像処理装置。
【請求項７】
前記第１の判定手段、及び前記第２の判定手段で前記表裏の対であると判定された、前記複数の第１の矩形画像のうちの二つ以上の画像と、それぞれに対応する前記複数の第２の矩形画像のうちの二つ以上の画像とを、複数の表裏の対として表示画面に表示する表示手段をさらに備えることを特徴とする請求項１乃至６のいずれか１項に記載の画像処理装置。
【請求項８】
前記表示手段は、前記表示画面に表示される前記複数の表裏の対のうち、前記表裏の対である可能性が低いとされる対について、他の対とは異なる表示を行うことを特徴とする請求項７に記載の画像処理装置。
【請求項９】
前記表示手段は、前記表示画面に表示される前記複数の表裏の対のうち、前記表裏の対である可能性が低いとされる対を、他の対より優先的に前記表示画面に表示することを特徴とする請求項７又は８に記載の画像処理装置。
【請求項１０】
前記表示画面への前記複数の表裏の対の表示順は、前記複数の表裏の対のそれぞれに対応する前記第１の位置座標及び前記第２の位置座標と、前記複数の表裏の対のそれぞれに対応する前記画像内の特徴量とに基づいて決定されることを特徴とする請求項７乃至９のいずれか１項に記載の画像処理装置。
【請求項１１】
前記表示画面に表示される前記複数の表裏の対の対応付けをユーザ操作に応じて変更することを特徴とする請求項７乃至１０のいずれか１項に記載の画像処理装置。
【請求項１２】
前記複数の第１の矩形画像のうち前記複数の表裏の対として表示された二つ以上の画像の一つを、ユーザ操作に応じて、前記対応付けを変更する画像に選択する選択手段をさらに備え、
前記複数の第２の矩形画像のうち、前記選択された画像の前記表裏の対である可能性が高い画像を他の画像より優先的に変更対象として前記表示画面に表示することを特徴とする請求項１１に記載の画像処理装置。
【請求項１３】
前記可能性が高い画像とは、前記複数の第２の矩形画像のうち、前記選択された画像の前記第１の位置座標に近い位置に前記第２の位置座標を持つ画像、もしくは前記選択された画像の前記画像内の特徴量と一致度が高い前記画像内の特徴量をもつ画像であることを特徴とする請求項１２に記載の画像処理装置。
【請求項１４】
前記第１の判定手段が、前記複数の第１の矩形画像もしくは前記複数の第２の矩形画像のすべてに対して前記表裏の対となる画像があると判定した場合、前記第２の判定手段は前記表裏の対を判定しないことを特徴とする請求項１乃至１３のいずれか１項に記載の画像処理装置。
【請求項１５】
前記第１の抽出手段により前記複数の第１の矩形画像としてＮ個の画像が抽出され、且つ前記第２の抽出手段により前記複数の第２の矩形画像としてＭ（＜Ｎ）個の画像が抽出された場合、前記第１の判定手段の判定により、Ｍ個の前記表裏の対となる組み合わせの矩形画像があるとされた場合、前記第１の判定手段による判定を終了することを特徴とする請求項１乃至１４のいずれか１項に記載の画像処理装置。
【請求項１６】
前記複数の第１の矩形画像と前記複数の第２の矩形画像のうち、前記第１の判定手段と前記第２の判定手段で前記表裏の対であると判定された２つの画像を紐づけてファイルに保存する保存手段をさらに備えることを特徴とする請求項１乃至１５のいずれか１項に記載の画像処理装置。
【請求項１７】
前記第１及び第２の抽出手段は前記複数の第１の矩形画像及び前記複数の第２の矩形画像の抽出を行う前に、前記第１の画像及び前記第２の画像の台形補正を行うことを特徴とする請求項１乃至１６のいずれか１項に記載の画像処理装置。
【請求項１８】
前記第１の画像及び前記第２の画像は複数の原稿を読み込むことで得られる画像であり、
前記複数の第１の矩形画像は前記複数の原稿のそれぞれの表面を、前記複数の第２の矩形画像は前記複数の原稿のそれぞれの裏面を読み込んだ画像であることを特徴とする請求項１乃至１７のいずれか１項に記載の画像処理装置。
【請求項１９】
第１の画像及び第２の画像を取得する画像取得ステップと、
前記画像取得ステップで取得された前記第１の画像から複数の第１の矩形画像及びその各々の第１の位置座標を抽出する第１の抽出ステップと、
前記画像取得ステップで取得された前記第２の画像から複数の第２の矩形画像及びその各々の第２の位置座標を抽出する第２の抽出ステップと、
前記第１の抽出ステップと前記第２の抽出ステップで複数抽出された前記第１の位置座標と前記第２の位置座標を基に、位置座標が所定の距離内である前記複数の第１の矩形画像の一つと前記複数の第２の矩形画像の一つとを表裏の対であると判定する第１の判定ステップと、
前記第１の判定ステップでの判定に応じて、前記抽出された前記複数の第１の矩形画像と前記複数の第２の矩形画像の各々における画像内の特徴量を基に、当該特徴量が一致する前記複数の第１の矩形画像の一つと前記複数の第２の矩形画像の一つとを前記表裏の対であると判定する第２の判定ステップと、
を有することを特徴とする画像処理装置の制御方法。
【請求項２０】
請求項１９の制御方法を実行することを特徴とするプログラム。